(57)【特許請求の範囲】
【請求項１】
筒状に形成され、電線が挿通される外装部材と、
前記電線に接続される電子部品を収容し、前記電線が挿通される挿通口が形成され、前記挿通口の外部側に前記外装部材を設置する外装設置部を有する筐体と、
前記外装部材を前記外装設置部との間で挟持するカバー部材と、を備え、
前記外装部材は、
前記外装設置部と前記カバー部材とにより挟持される被挟持部と、
前記筐体の挿通口とは反対側の端部に形成され、外径が前記被挟持部の外径よりも小さい小径部と、を有し、
前記外装設置部は、前記小径部の内径が異なる複数の前記外装部材の中から前記電線の外径に対応する前記小径部の内径を有する前記外装部材が選択可能に設置されることを特徴とする電気接続箱。
【請求項２】
前記小径部は、
前記電線の外径に対応して当該小径部の内径が設定される請求項１に記載の電気接続箱。
【請求項３】
前記外装部材は、前記筐体が車両に設置された状態で、鉛直方向上側に延在する請求項１又は２に記載の電気接続箱。
【請求項４】
電子部品に接続される複数の電線と、
筒状に形成され、前記電線が挿通される外装部材と、前記電子部品を収容し、前記電線が挿通される挿通口が形成され、前記挿通口の外部側に前記外装部材を設置する外装設置部を有する筐体と、前記外装部材を前記外装設置部との間で挟持するカバー部材と、を有する電気接続箱と、を備え、
前記外装部材は、
前記外装設置部と前記カバー部材とにより挟持される被挟持部と、
前記筐体の挿通口とは反対側の端部に形成され、外径が前記被挟持部の外径よりも小さい小径部と、を有し、
前記外装設置部は、前記小径部の内径が異なる複数の前記外装部材の中から前記電線の外径に対応する前記小径部の内径を有する前記外装部材が選択可能に設置されることを特徴とするワイヤハーネス。
【請求項５】
前記小径部から前記電線に渡って巻き回されるテープ部材を備える請求項４に記載のワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、外側壁に電線の引出用の開口を有し、当該開口より引出した電線を開口の外側で屈曲させて外側壁に沿って引延ばすようにした電気接続箱が開示されている。この電気接続箱は、電線の引延ばし方向と反対側に位置する開口の縁部に一体的に、開口を閉塞する保護蓋を、ヒンジにより電線の屈曲方向と同じ方向に回動可能に連結し、該保護蓋を内部に電線を収容可能な樋状に形成すると共に、保護蓋と外側壁とに、保護蓋と外側壁との間に電線を挟んだ状態で保護蓋を外側壁に対してロックするロック手段が設けられている。
【先行技術文献】
【特許文献】
【０００３】
【特許文献１】特開平９−１６３５５０号公報
【発明の概要】
【発明が解決しようとする課題】
【０００４】
ところで、上述の特許文献１に記載の電気接続箱は、例えば、比較的小径の電線にコルゲートチューブ等の外装部材が外装されたものに適用される場合があり、このような場合に外装部材による防水性を高めることが望まれている。
【０００５】
本発明は、上記の事情に鑑みてなされたものであって、外装部材による防水性を高めることができる電気接続箱、及び、ワイヤハーネスを提供することを目的とする。
【課題を解決するための手段】
【０００６】
上述した課題を解決し、目的を達成するために、本発明に係る電気接続箱は、筒状に形成され、電線が挿通される外装部材と、前記電線に接続される電子部品を収容し、前記電線が挿通される挿通口が形成され、前記挿通口の外部側に前記外装部材を設置する外装設置部を有する筐体と、前記外装部材を前記外装設置部との間で挟持するカバー部材と、を備え、前記外装部材は、前記外装設置部と前記カバー部材とにより挟持される被挟持部と、前記筐体の挿通口とは反対側の端部に形成され、外径が前記被挟持部の外径よりも小さい小径部と、を有し、前記外装設置部は、前記小径部の内径が異なる複数の前記外装部材の中から前記電線の外径に対応する前記小径部の内径を有する前記外装部材が選択可能に設置されることを特徴とする。
【０００７】
上記電気接続箱において、前記小径部は、前記電線の外径に対応して当該小径部の内径が設定されることが好ましい。
上記電気接続箱において、前記外装部材は、前記筐体が車両に設置された状態で、鉛直方向上側に延在することが好ましい。
【０００８】
本発明に係るワイヤハーネスは、電子部品に接続される複数の電線と、筒状に形成され、前記電線が挿通される外装部材と、前記電子部品を収容し、前記電線が挿通される挿通口が形成され、前記挿通口の外部側に前記外装部材を設置する外装設置部を有する筐体と、前記外装部材を前記外装設置部との間で挟持するカバー部材と、を有する電気接続箱と、を備え、前記外装部材は、前記外装設置部と前記カバー部材とにより挟持される被挟持部と、前記筐体の挿通口とは反対側の端部に形成され、外径が前記被挟持部の外径よりも小さい小径部と、を有し、前記外装設置部は、前記小径部の内径が異なる複数の前記外装部材の中から前記電線の外径に対応する前記小径部の内径を有する前記外装部材が選択可能に設置されることを特徴とする。
【０００９】
上記ワイヤハーネスにおいて、前記小径部から前記電線に渡って巻き回されるテープ部材を備える。
【発明の効果】
【００１１】
本発明に係る電気接続箱、及び、ワイヤハーネスによれば、外径が被挟持部の外径よりも小さい小径部を有するので、外装部材による防水性を高めることができる。
【図面の簡単な説明】
【００１２】
【図１】図１は、実施形態に係る電気接続箱の概略構成を表す斜視図である。
【図２】図２は、実施形態に係る電気接続箱の概略構成を表す分解斜視図である。
【図３】図３は、実施形態に係る電気接続箱の概略構成を表す斜視図である。
【図４】図４は、図３中のＡ矢視図である。
【図５】図５は、図３中のＢ矢視図である。
【図６】図６は、実施形態に係る電気接続箱のコルゲートカバーの概略構成を表す斜視図である。
【図７】図７は、図４中のＣ−Ｃ断面図である。
【図８】図８は、実施形態に係る電気接続箱のコルゲートカバーを含む部分断面図である。
【図９】図９は、実施形態に係るコルゲートチューブの構成を表す斜視図である。
【図１０】図１０は、実施形態に係るテープ部材の貼着を表す斜視図である。
【図１１】図１１は、参考例に係る電気接続箱の概略構成を表す分解斜視図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
図１は、実施形態に係る電気接続箱の概略構成を表す斜視図である。図２は、実施形態に係る電気接続箱の概略構成を表す分解斜視図である。図３は、実施形態に係る電気接続箱の概略構成を表す斜視図である。図４は、図３中のＡ矢視図（上面図）である。図５は、図３中のＢ矢視図（側面図）である。図６は、実施形態に係る電気接続箱のコルゲートカバーの概略構成を表す斜視図である。図７は、図４中のＣ−Ｃ断面図である。図８は、実施形態に係る電気接続箱のコルゲートカバーを含む部分断面図である。図９は、実施形態に係るコルゲートチューブの構成を表す斜視図である。図１０は、実施形態に係るテープ部材の貼着を表す斜視図である。なお、図１は、電子部品が収容されていない状態の電気接続箱である。図２は、わかり易くするため電気接続箱に収容される電子部品のうちの一部を二点鎖線で図示している。また、図２、図３、図４、図５、図７、図８、図１０は、わかり易くするため電線の一部、又は、全部の図示を省略している。
【００１５】
図１、図２、図３、図４、図５に示す電気接続箱１は、自動車等の車両に搭載され、ワイヤハーネスＷＨに組み込まれ、電線等の接続処理用部品を構成するコネクタ、ヒューズ、リレー、分岐部、電子制御ユニット等の電装品を集約して内部に収容するものである。電気接続箱１は、例えば、車両のエンジンルームや車体の下方部分に設置され、バッテリ等の電源と、車両内に搭載される各種電子機器との間に接続されている。電気接続箱１は、電源から供給された電力を車両内の各種電子機器に分配する。なお、電気接続箱１は、ジャンクションボックス、ヒューズボックス、リレーボックスなどとも呼ばれる場合があるが、本実施形態ではこれらを総称して電気接続箱と呼ぶ。なお、以下では、特に断りのない限り、電気接続箱１が車両に搭載された状態での方向として説明する。
【００１６】
ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、複数の電線Ｗと、電線Ｗに外装される外装部材としてのコルゲートチューブＴと、当該電線Ｗと電気的に接続される電気接続箱１とを備える。電線Ｗは、例えば、複数の導電性の金属素線を撚り合わせた導体部（芯線）と、当該導体部の外側を覆う絶縁性の被覆部とを含んで構成される。
【００１７】
コルゲートチューブＴは、可撓性を有する筒状（管状）に形成される。コルゲートチューブＴは、典型的には、外周面に周方向に沿った凹凸が複数形成された蛇腹形状をなしており、その内側に電線Ｗが挿入される。コルゲートチューブＴの詳細については、後述する。
【００１８】
ワイヤハーネスＷＨは、複数の電線Ｗを束ねて集約し、当該束ねられた電線Ｗの外側にコルゲートチューブＴが装着されると共に、束ねられた電線Ｗの端部に接続部としてのコネクタ等を介して電気接続箱１が電気的に接続される。ワイヤハーネスＷＨは、この他、さらに、グロメット、プロテクタ、固定具等を含んで構成されてもよい。
【００１９】
そして、電気接続箱１は、電子部品２（図７も参照）と、電子部品２を収容する筐体３と、筐体３に組み付けられるカバー部材としてのコルゲートカバー４とを備える。電気接続箱１は、筐体３の内部の収容空間部３５（図７も参照）に、種々の電子部品２が収容される。本実施形態の電気接続箱１は、筐体３に挿通口３６（図７、図８も参照）を有し、筐体３に収容された電子部品２に電気的に接続される電線Ｗを、当該挿通口３６を介して筐体３の内外に渡って挿通すると共に、当該電線Ｗを挿通口３６の外部側で屈曲させてコルゲートチューブＴと共に筐体３の壁体（後述の側壁部３１ａ）に沿って延在させたものである。そして、電気接続箱１は、コルゲートカバー４が筐体３に組み付けられることで、筐体３とコルゲートカバー４との間にコルゲートチューブＴの端部（後述する被挟持部ｔ１０）を保持するものである。これにより、電気接続箱１は、例えば、電気接続箱１に配索される電線Ｗの配索本数や外径が変更された場合であっても、挿通口３６においてコルゲートチューブＴの端部が保持されることで、水が挿通口３６を介して筐体３内に直接的に浸入してしまうことを抑制したものである。以下、各図を参照して、電気接続箱１の各構成について具体的に説明する。
【００２０】
電子部品２は、筐体３の内部に収容され、電線Ｗが電気的に接続されるものである。電子部品２は、複数設けられる。電子部品２は、例えば、コネクタ、ヒューズ、リレー、分岐部、電子制御ユニット、これらをユニット化した電子部品ユニット等である。
【００２１】
筐体３は、内部に形成される収容空間部３５に電子部品２を収容するものであり、フレーム３１、ロアカバー３２、及び、アッパカバー３３を含んで構成される。筐体３は、フレーム３１、ロアカバー３２、及び、アッパカバー３３が分割された３層分割構造となっており、所定の積層方向に沿って積層され相互に組み付けられると共に内部に電子部品２を収容する収容空間部３５を区画する。フレーム３１、ロアカバー３２、及び、アッパカバー３３は、絶縁性の合成樹脂によって形成される。
【００２２】
フレーム３１は、電子部品２が組み付けられる収容空間部３５を形成する主たる部材である。フレーム３１は、多角形筒状（矩形筒状）に形成された壁体である側壁部３１ａによって中空状に形成される。フレーム３１は、この電気接続箱１がエンジンルーム等に接続された状態で、鉛直方向上側、及び、鉛直方向下側に開口が位置する。ロアカバー３２は、フレーム３１の鉛直方向下側の開口を塞ぐ皿状（トレイ状）の部材である。ロアカバー３２は、多角形筒状（矩形筒状）に形成された壁体である側壁部３２ａと、側壁部３２ａの一方の開口（鉛直方向下側の開口）を塞ぐ底部３２ｂとによって中空状に形成される。アッパカバー３３は、フレーム３１の鉛直方向上側の開口を塞ぐ蓋状の部材である。アッパカバー３３は、多角形筒状（矩形筒状）に形成された壁体である側壁部３３ａと、側壁部３３ａの一方の開口（鉛直方向上側の開口）を塞ぐ天井部３３ｂとによって中空状に形成される。筐体３は、フレーム３１の鉛直方向下側の開口とロアカバー３２の開口とが対向し、フレーム３１の鉛直方向上側の開口とアッパカバー３３の開口とが対向するようにして、ロアカバー３２がフレーム３１の鉛直方向下側に組み付けられアッパカバー３３がフレーム３１の鉛直方向上側に組み付けられる。筐体３は、フレーム３１に対して、種々の形式の係止機構３４を介して、アッパカバー３３、ロアカバー３２が係止される。なお、フレーム３１とアッパカバー３３とロアカバー３２とが積層される積層方向は、典型的には、この電気接続箱１がエンジンルーム等に接続された状態で、鉛直方向に沿っているが、当該電気接続箱１の設置状況によっては当該積層される方向が鉛直方向に対して所定の角度を有して設置される場合もある。
【００２３】
そして、フレーム３１、ロアカバー３２、及び、アッパカバー３３によって構成される筐体３は、収容空間部３５と、挿通口３６と、外装設置部３７とを有する。
【００２４】
収容空間部３５（図７も参照）は、フレーム３１、ロアカバー３２、及び、アッパカバー３３によって区画され、当該フレーム３１、ロアカバー３２、及び、アッパカバー３３によって囲われた空間である。すなわち、収容空間部３５は、鉛直方向と交差する方向がフレーム３１の側壁部３１ａ、ロアカバー３２の側壁部３２ａ、アッパカバー３３の側壁部３３ａによって区画され、鉛直方向下側がロアカバー３２の底部３２ｂによって区画され、鉛直方向上側がアッパカバー３３の天井部３３ｂによって区画される。電気接続箱１は、この収容空間部３５内にブロック３８（図７も参照）が設けられる。ブロック３８は、フレーム３１に対して着脱可能に組み付けられる。ブロック３８は、フレーム３１等と同様に絶縁性の合成樹脂によって形成されると共に多数のキャビティ３８ａが形成される。電子部品２は、キャビティ３８ａ内に組み付けられる。ブロック３８は、各キャビティ３８ａに対して鉛直方向上側から電子部品２が差し込まれ嵌合されると共に、鉛直方向下側から電線Ｗの端末を構成する端子等が差し込まれ嵌合されることで、各電子部品２と電線Ｗとが電気的に接続される。
【００２５】
挿通口３６（図７、図８も参照）は、収容空間部３５内の電子部品２に接続される電線Ｗを筐体３の内外、言い換えれば、収容空間部３５の内外に渡って挿通させるものであり、ここでは、フレーム３１に形成される。挿通口３６は、フレーム３１において、積層方向と交差する方向の壁体、すなわち、側壁部３１ａを構成する１つの壁面に形成される。挿通口３６は、フレーム３１の鉛直方向下側の端部、すなわち、ロアカバー３２が設けられる側の端部に形成される。挿通口３６は、フレーム３１に対してロアカバー３２が組み付けられた状態で鉛直方向上側に向けて開口する。収容空間部３５内の電子部品２に接続される電線Ｗは、挿通口３６を介して筐体３の内外に渡って挿通され、配索される。
【００２６】
外装設置部３７は、フレーム３１の挿通口３６の外部側に形成されコルゲートチューブＴの端部が積層方向に沿って設置されるものである。外装設置部３７は、フレーム３１において、積層方向と交差する方向の壁体、すなわち、側壁部３１ａを構成する壁面のうち上述の挿通口３６が形成される壁面に設けられる。外装設置部３７は、フレーム３１において、収容空間部３５が形成される内部側とは反対側の外部側に露出して形成される。外装設置部３７は、図７、図８にも示すように、設置壁面部３７ａと、受け部３７ｂと、嵌合凸部３７ｃと、係止部３７ｄとを含んで構成される。設置壁面部３７ａは、コルゲートチューブＴの外形に沿うような半円筒状に形成される部分であり、側壁部３１ａの外部側の壁面に当該側壁部３１ａと一体で形成される。設置壁面部３７ａは、外周面側が側壁部３１ａと対向し、かつ、設置壁面部３７ａの中心軸線方向が鉛直方向に対して若干傾斜を有するような位置関係で形成される。受け部３７ｂは、半円筒状に形成される設置壁面部３７ａの内周面の鉛直方向下端部に形成される。受け部３７ｂは、設置壁面部３７ａの内周面に沿って延在する半円弧状の突状部として形成される。受け部３７ｂは、外装設置部３７にコルゲートチューブＴの端部が設置された状態で当該コルゲートチューブＴの端部の端面が当接しこれを受ける面として形成される。嵌合凸部３７ｃは、半円筒状に形成される設置壁面部３７ａの内周面の鉛直方向上端部、及び、中腹部に複数形成される。ここでは、嵌合凸部３７ｃは、３つ形成される。各嵌合凸部３７ｃは、設置壁面部３７ａの内周面に沿って延在する半円弧状の突状部として形成される。各嵌合凸部３７ｃは、外装設置部３７にコルゲートチューブＴの端部が設置された状態で当該コルゲートチューブＴの端部の外周面に形成された蛇腹状の凹凸に嵌合し噛み込む部分として形成される。係止部３７ｄは、コルゲートカバー４が係止される部分である。係止部３７ｄは、半円筒状に形成された設置壁面部３７ａの端部の外周面側に一対で設けられる。ここでは、各係止部３７ｄは、後述するコルゲートカバー４の係止部４ｃを構成する係合爪部が係合可能な係合凹部によって構成される。
【００２７】
コルゲートカバー４は、筐体３に組み付けられ、筐体３との間にコルゲートチューブＴの端部を保持するものである。コルゲートカバー４は、図６、図７、図８にも示すように、カバー壁面部４ａと、嵌合凸部４ｂと、係止部４ｃとを含んで構成される。カバー壁面部４ａは、コルゲートチューブＴの外形に沿うような半円筒状に形成される部分であり、フレーム３１等と同様に絶縁性の合成樹脂によって形成される。嵌合凸部４ｂは、半円筒状に形成されるカバー壁面部４ａの内周面の鉛直方向上端部、及び、中腹部に複数形成される。ここでは、嵌合凸部４ｂは、３つ形成される。各嵌合凸部４ｂは、カバー壁面部４ａの内周面に沿って延在する半円弧状の突状部として形成される。各嵌合凸部４ｂは、外装設置部３７にコルゲートチューブＴの端部が設置されコルゲートカバー４が外装設置部３７に組み付けられた状態で当該コルゲートチューブＴの外周面に形成された蛇腹状の凹凸に嵌合し噛み込む部分として形成される。各嵌合凸部４ｂは、コルゲートカバー４が外装設置部３７に組み付けられた状態でコルゲートチューブＴを挟んで外装設置部３７の各嵌合凸部３７ｃとほぼ対向する位置に形成される。係止部４ｃは、外装設置部３７に係止される部分である。係止部４ｃは、半円筒状に形成されたカバー壁面部４ａの端部の外周面側に一対で設けられる。つまり、係止部４ｃは、コルゲートカバー４が外装設置部３７に組み付けられた状態で、積層方向と交差する方向に対向するように一対で設けられる。ここでは、各係止部４ｃは、カバー壁面部４ａに突起状に形成され、外装設置部３７の係止部３７ｄを構成する係合凹部に係合可能な係合爪部によって構成される。コルゲートカバー４は、一対の係止部４ｃを介して外装設置部３７の係止部３７ｄに係止され外装設置部３７との間にコルゲートチューブＴの端部を挟み込んで保持する。
【００２８】
そして、本実施形態のコルゲートカバー４は、一対の係止部４ｃによる係止に加えて、被押え端部４ｄがロアカバー３２によってフレーム３１に向けて押えられることで、より確実に筐体３に組み付けられる構成となっている。
【００２９】
ここで、被押え端部４ｄは、コルゲートカバー４の積層方向の一方側の端部であってコルゲートチューブＴが延在する側とは反対側の端部である。つまり、被押え端部４ｄは、コルゲートカバー４の端部が外装設置部３７に組み付けられた状態で、鉛直方向下側に位置する端部であり、鉛直方向と直交する水平方向に沿って延在する端部である。被押え端部４ｄは、コルゲートカバー４の端部が外装設置部３７に組み付けられた状態で、鉛直方向下側の先端側がフレーム３１側に屈曲している（特に図８等参照）。
【００３０】
また、コルゲートカバー４は、コルゲートカバー４が外装設置部３７に組み付けられた状態で、被押え端部４ｄの鉛直方向上側に位置する部分に端面当接部４ｅが形成されている。端面当接部４ｅは、カバー壁面部４ａの外部側の面に、積層方向と交差する方向（ここでは、水平方向）に沿った突状部として形成される。端面当接部４ｅは、被押え端部４ｄがロアカバー３２によってフレーム３１側に向けて押えられた状態でロアカバー３２の鉛直方向上側の端面（より詳細には後述する押え壁部３２ｃの鉛直方向上側の先端面）が当接しこれを受ける面として形成される。
【００３１】
そして、本実施形態のロアカバー３２は、被押え端部４ｄをフレーム３１に押える押え壁部３２ｃを有する。押え壁部３２ｃは、ロアカバー３２がフレーム３１に組み付けられた状態で、フレーム３１の挿通口３６、外装設置部３７が位置する部分の近傍に設けられる。押え壁部３２ｃは、被押え端部４ｄをフレーム３１との間に挟み込み被押え端部４ｄと当接して当該被押え端部４ｄをフレーム３１側に向けて押える部分である。押え壁部３２ｃは、ロアカバー３２の側壁部３２ａの底部３２ｂ側とは反対側の端部、すなわち、フレーム３１側の端部によって構成される。さらに言えば、押え壁部３２ｃは、側壁部３２ａに形成される段付き部３２ｄより鉛直方向上側の先端部によって構成される。側壁部３２ａに形成される段付き部３２ｄは、コルゲートカバー４の被押え端部４ｄを押え壁部３２ｃの内側に入り込ませるための逃げ部として形成され、言い換えれば、押え壁部３２ｃを外側にオフセットさせるための部分である。
【００３２】
上記のように構成される電気接続箱１は、電線Ｗが挿通口３６に挿通されコルゲートチューブＴの端部がフレーム３１の外装設置部３７の設置壁面部３７ａに積層方向に沿って設置された状態で、コルゲートカバー４の係止部４ｃが外装設置部３７の係止部３７ｄに係止されることで、コルゲートカバー４が外装設置部３７に組み付けられる。電線Ｗは、挿通口３６の外部側で屈曲されコルゲートチューブＴと共に側壁部３１ａに沿って鉛直方向上側に延在する。この状態で、電気接続箱１は、受け部３７ｂがコルゲートチューブＴの端面と当接しこれを受けると共に、コルゲートカバー４がフレーム３１の外装設置部３７との間にコルゲートチューブＴの端部を挟み込んで保持する。また、電気接続箱１は、この状態で、外装設置部３７、コルゲートカバー４の各嵌合凸部３７ｃ、各嵌合凸部４ｂがコルゲートチューブＴの外周面に形成された蛇腹状の凹凸に嵌合し噛み込むことで、当該コルゲートチューブＴの端部がコルゲートカバー４と外装設置部３７との間から脱落することが規制される。
【００３３】
そして、電気接続箱１は、コルゲートカバー４がコルゲートチューブＴの端部を挟み込むようにして外装設置部３７に組み付けられた状態で、フレーム３１の鉛直方向下側の開口を塞ぐようにしてロアカバー３２が組み付けられる。この状態で、電気接続箱１は、ロアカバー３２の押え壁部３２ｃの鉛直方向上側の先端面がコルゲートカバー４の端面当接部４ｅに当接すると共にコルゲートカバー４の被押え端部４ｄが押え壁部３２ｃの内側に位置して、当該押え壁部３２ｃによってフレーム３１側に向けて押えられる。電気接続箱１は、この状態で、被押え端部４ｄと押え壁部３２ｃとが当該押え壁部３２ｃによる被押え端部４ｄの押え方向、ここでは、筐体３の内外方向に重なる重複部位３９を有する。この重複部位３９は、被押え端部４ｄが内側に位置し、押え壁部３２ｃが外側に位置してラップする部分である。
【００３４】
これにより、電気接続箱１、ワイヤハーネスＷＨは、コルゲートカバー４が外装設置部３７に対して一対の係止部４ｃによって係止されることに加えて、フレーム３１とロアカバー３２との間にコルゲートカバー４の被押え端部４ｄを挟み込み、ロアカバー３２の押え壁部３２ｃによって当該被押え端部４ｄをフレーム３１側に向けて押えることで、コルゲートチューブＴの端部を保持するためのコルゲートカバー４を確実に筐体３に組み付けることができる。またこのとき、電気接続箱１、ワイヤハーネスＷＨは、被押え端部４ｄの鉛直方向下側の先端側がフレーム３１側に屈曲した形状となっており、また、押え壁部３２ｃ側には被押え端部４ｄを押え壁部３２ｃの内側に入り込ませるための逃げ部として段付き部３２ｄが形成されていることから、ロアカバー３２を組み付けた際に当該ロアカバー３２の押え壁部３２ｃによって当該被押え端部４ｄをフレーム３１側に向けて押え込み易くすることができる。この結果、電気接続箱１、ワイヤハーネスＷＨは、コルゲートカバー４を３点で確実に固定することができるので、例えば、コルゲートカバー４のガタツキを抑制することができ、電線Ｗに外装されるコルゲートチューブＴの端部を確実に組み付けることができる。
【００３５】
そして、本実施形態のコルゲートチューブＴは、図９に示すように、被挟持部ｔ１０と、小径部ｔ２０とを備える。被挟持部ｔ１０と小径部ｔ２０とは、大きさの異なる円筒状に形成される。被挟持部ｔ１０は、外径が小径部ｔ２０の外径よりも大きく形成される。例えば、被挟持部ｔ１０は、外装設置部３７の設置壁面部３７ａの内径に対応して外径が形成される。被挟持部ｔ１０の外周面ｔ１１には、少なくとも外装設置部３７の嵌合凸部３７ｃが嵌合し噛み込む凹部ｔ１２が形成される。凹部ｔ１２は係止受けとして機能し、嵌合凸部３７ｃは係止部として機能し、外装設置部３７の係止部が被挟持部ｔ１０の係止受けに係止する。小径部ｔ２０は、外装設置部３７に被挟持部ｔ１０が設置された状態において、筐体３の挿通口３６とは反対側の端部に形成される。小径部ｔ２０は、外径が被挟持部ｔ１０の外径よりも小さく形成される。例えば、小径部ｔ２０は、電線Ｗの外径に対応して小径部ｔ２０の内径が設定される。小径部ｔ２０は、電線Ｗの外周面に小径部ｔ２０の内周面が接するように小径部ｔ２０の内径が設定されることが好ましい。つまり、小径部ｔ２０は、小径部ｔ２０から露出する電線Ｗと小径部ｔ２０の開口部ｔ２１との隙間を可能な限り無くすように小径部ｔ２０の内径が設定されることが好ましい。小径部ｔ２０は、被挟持部ｔ１０の一方側の端部ｔ１３、つまり、挿通口３６とは反対側の端部ｔ１３から中心軸線方向に延在する。ここで、中心軸線方向は、被挟持部ｔ１０の中心軸線Ｘ１に沿う方向である。被挟持部ｔ１０の中心軸線Ｘ１と小径部ｔ２０の中心軸線Ｘ２とは、同一直線上に存在する。つまり、被挟持部ｔ１０と小径部ｔ２０とは、中心軸線方向から見た場合に同心円上に位置する。被挟持部ｔ１０の中心軸線方向における長さと、小径部ｔ２０の中心軸線方向における長さとは、ほぼ同じ長さである。被挟持部ｔ１０と小径部ｔ２０とは、一体成型される。コルゲートチューブＴは、小径部ｔ２０の内径が異なる複数のコルゲートチューブＴが用意され、これらのコルゲートチューブＴの中から電線Ｗの外径に対応する小径部ｔ２０の内径を有するコルゲートチューブＴが選択される。
【００３６】
外装設置部３７は、外装設置部３７にコルゲートチューブＴの被挟持部ｔ１０が設置された状態で当該コルゲートチューブＴの被挟持部ｔ１０の外周面ｔ１１に形成された蛇腹状の凹凸の凹部ｔ１２に各嵌合凸部３７ｃが嵌合し噛み込むと共に、受け部３７ｂがコルゲートチューブＴの端面ｔ１４を受ける。そして、コルゲートカバー４は、外装設置部３７にコルゲートチューブＴの被挟持部ｔ１０が設置されコルゲートカバー４が外装設置部３７に組み付けられた状態で当該コルゲートチューブＴの外周面ｔ１１に形成された凹部ｔ１２に各嵌合凸部４ｂが嵌合し噛み込み、被挟持部ｔ１０を外装設置部３７との間で挟持する。
【００３７】
そして、ワイヤハーネスＷＨは、図１０に示すように、テープ部材５を備える。テープ部材５は、小径部ｔ２０から電線Ｗに渡って巻き回される。例えば、テープ部材５は、テープ部材５の一部を重ね合わせながら小径部ｔ２０から電線Ｗに渡って小径部ｔ２０の中心軸線方向に巻き回されて貼着される。貼着されたテープ部材５は、小径部ｔ２０の開口部ｔ２１と電線Ｗとの隙間を塞ぐ。
【００３８】
以上で説明した電気接続箱１、ワイヤハーネスＷＨ、及び、コルゲートチューブＴによれば、外装設置部３７とコルゲートカバー４とにより挟持される被挟持部ｔ１０と、外径が被挟持部ｔ１０の外径よりも小さい小径部ｔ２０とを備える。これにより、比較的小径の電線ＷにコルゲートチューブＴを適用する場合に、外装設置部３７とコルゲートカバー４とを交換することなく、小径部ｔ２０から露出する電線Ｗと小径部ｔ２０との隙間を削減することができる。従って、小径部ｔ２０から露出する電線Ｗと小径部ｔ２０との隙間から水が浸入することを防ぐことができ、防水性を高めることができる。
【００３９】
また、小径部ｔ２０は、電線Ｗの外径に対応して小径部ｔ２０の内径が設定される。これにより、小径部ｔ２０から露出する電線Ｗと小径部ｔ２０との隙間を精度良く削減することができる。
【００４０】
また、テープ部材５は、小径部ｔ２０から電線Ｗに渡って巻き回される。これにより、小径部ｔ２０から露出する電線Ｗと小径部ｔ２０との隙間を塞ぐことができる。従って、水が小径部ｔ２０と電線Ｗとの隙間から小径部ｔ２０と被挟持部ｔ１０との内部を伝わって電気接続箱１の内部に浸入することを防止できる。
【００４１】
なお、参考例として他の電気接続箱について説明する。図１１は、参考例に係る電気接続箱の概略構成を表す分解斜視図である。参考例では、被挟持部ｔ１０を形成せずにアタッチメントなどを用いてコルゲートチューブＴの小径部ｔ２０との外径の差分を調整する点で実施形態と異なる。参考例に係る電気接続箱１Ａは、図１１に示すように、コルゲートチューブＴに替えてコルゲートチューブＴＡを備え、かつ、アタッチメント部材６と、コルゲートカバー７とを備える。コルゲートチューブＴＡは、被挟持部ｔ１０を有していない点でコルゲートチューブＴとは異なる。なお、実施形態の電気接続箱１と同じ構成には同一符号を付し、詳細な説明は省略する。
【００４２】
コルゲートチューブＴＡは、可撓性を有する筒状（管状）に形成される。コルゲートチューブＴＡは、典型的には、外周面に周方向に沿った凹凸が複数形成された蛇腹形状をなしており、その内側に電線Ｗが挿入される。コルゲートチューブＴＡは、円筒状に形成される。例えば、コルゲートチューブＴＡは、電線Ｗの外径に対応して内径が設定される。コルゲートチューブＴＡは、電線Ｗの外周面に内周面が接するように内径が設定されることが好ましい。
【００４３】
アタッチメント部材６は、外装設置部３７とコルゲートチューブＴＡとの間に配置され、コルゲートチューブＴＡの外径と外装設置部３７の内径との差分を調整するものである。アタッチメント部材６は、半円筒状に形成され、外径が外装設置部３７の内径とほぼ同じ長さに形成される。アタッチメント部材６は、外周面が外装設置部３７の内周面に当接する。また、アタッチメント部材６は、内径がコルゲートチューブＴＡの外径とほぼ同じ長さに形成される。アタッチメント部材６は、内周面がコルゲートチューブＴＡの外周面に当接する。アタッチメント部材６は、嵌合凹部６ａと、嵌合凸部６ｂと、受け部６ｃとを含んで構成される。嵌合凹部６ａは、アタッチメント部材６の外周面に沿って延在する半円弧状の溝状部として複数形成される。各嵌合凹部６ａは、外装設置部３７にアタッチメント部材６が設置された状態で外装設置部３７の各嵌合凸部３７ｃに嵌合され噛み込まれる部分として形成される。嵌合凸部６ｂは、アタッチメント部材６の内周面に沿って延在する半円弧状の突状部として複数形成される。各嵌合凸部６ｂは、アタッチメント部材６にコルゲートチューブＴＡが設置された状態で当該コルゲートチューブＴＡの外周面に形成された蛇腹状の凹凸の凹部に嵌合し噛み込む部分として形成される。受け部６ｃは、アタッチメント部材６の内周面の鉛直方向下端部に形成される。受け部６ｃは、アタッチメント部材６の内周面に沿って延在する半円弧状の突状部として形成される。受け部６ｃは、アタッチメント部材６にコルゲートチューブＴＡが設置された状態で当該コルゲートチューブＴＡの端面が当接しこれを受ける面として形成される。
【００４４】
コルゲートカバー７は、筐体３に組み付けられ、筐体３との間にコルゲートチューブＴＡを保持するものである。コルゲートカバー７は、カバー壁面部７ａと、嵌合凸部７ｂと、係止部７ｃとを含んで構成される。カバー壁面部７ａは、コルゲートチューブＴＡの外形に沿うような半円筒状に形成される部分であり、上述したコルゲートカバー４のカバー壁面部４ａよりも内径が小さい。嵌合凸部７ｂは、半円筒状に形成されるカバー壁面部７ａの内周面に複数形成される。各嵌合凸部７ｂは、カバー壁面部７ａの内周面に沿って延在する半円弧状の突状部として形成される。各嵌合凸部７ｂは、アタッチメント部材６を介して外装設置部３７にコルゲートチューブＴＡが設置され、コルゲートカバー７が外装設置部３７に組み付けられた状態で当該コルゲートチューブＴＡの外周面に形成された蛇腹状の凹凸の凹部に嵌合し噛み込む部分として形成される。係止部７ｃは、外装設置部３７に係止される部分である。係止部７ｃは、半円筒状に形成されたカバー壁面部７ａの端部の外周面側に一対で設けられる。コルゲートカバー７は、一対の係止部７ｃを介して外装設置部３７の係止部３７ｄに係止されアタッチメント部材６を介して外装設置部３７との間にコルゲートチューブＴＡを挟み込んで保持する。コルゲートカバー７とアタッチメント部材６とは、コルゲートチューブＴＡの外径に対応して１組のセットで用意される。コルゲートカバー７とアタッチメント部材６とのセットは、コルゲートチューブＴＡの外径に対応して複数のセットが用意される。
【００４５】
以上で説明した電気接続箱１Ａによれば、コルゲートチューブＴＡの外径と外装設置部３７の内径との差分を調整するアタッチメント部材６と、コルゲートチューブＴＡの外形に沿うような半円筒状に形成されたコルゲートカバー７とを備える。これにより、比較的小径の電線ＷにコルゲートチューブＴＡを適用する場合に、外装設置部３７を交換することなく、コルゲートチューブＴＡから露出する電線ＷとコルゲートチューブＴＡとの隙間を削減することができる。従って、コルゲートチューブＴＡから露出する電線ＷとコルゲートチューブＴＡとの隙間から水が浸入することを防ぐことができ、防水性を高めることができる。
【００４６】
なお、上述した本発明の実施形態に係る電気接続箱、ワイヤハーネス、及び、外装部材は、上述した実施形態に限定されず、特許請求の範囲に記載された範囲で種々の変更が可能である。
【００４７】
以上で説明した筐体３は、フレーム３１、ロアカバー３２、及び、アッパカバー３３が分割された３層分割構造となっているものとして説明したがこれに限らず、例えば、フレーム３１とアッパカバー３３とが一体であってもよい。また、フレーム３１とロアカバー３２とが一体であってもよい。
【００４８】
また、コルゲートチューブＴの小径部ｔ２０は、被挟持部ｔ１０の端部ｔ１３から中心軸線方向に延在するに従って徐々に外径が小さくなる先細り形状でもよい。
【００４９】
また、外装設置部３７の設置壁面部３７ａは、フレーム３１の側壁部３１ａと一体で形成される例について説明したが、フレーム３１の側壁部３１ａと別体で形成してもよい。
【００５０】
また、電線Ｗを挿通口３６の外部側で屈曲させてコルゲートチューブＴと共に筐体３の側壁部３１ａに沿って延在させる例について説明したが、これに限定されない。例えば、電線Ｗを筐体３の側壁部３１ａに沿って延在させずに側壁部３１ａと交差する方向に延在させてもよい。また、挿通口３６をロアカバー３２に設け、ロアカバー３２に設けられた挿通口３６から電線Ｗを鉛直方向下側に向けて延在させてもよい。また、ロアカバー３２に設けられた挿通口３６から電線Ｗを当該挿通口３６の外部側で屈曲させてコルゲートチューブＴと共にロアカバー３２の底部３２ｂに沿って延在させてもよい。
【００５１】
また、テープ部材５は、小径部ｔ２０から電線Ｗに渡って巻き回される例について説明したが、これに限定されない。例えば、弾力性を有するリング状の部材を小径部ｔ２０の開口部ｔ２１と電線Ｗとを覆うように装着して、小径部ｔ２０の開口部ｔ２１と電線Ｗとの隙間を塞いでもよい。
【符号の説明】
【００５２】
１    電気接続箱
２    電子部品
３    筐体
４    コルゲートカバー（カバー部材）
４ｃ    係止部
４ｄ    被押え端部
５    テープ部材
３１    フレーム
３２    ロアカバー
３２ｃ    押え壁部
３５    収容空間部
３６    挿通口
３７    外装設置部
３９    重複部位
Ｔ    コルゲートチューブ（外装部材）
ｔ１０    被挟持部
ｔ１１    外周面
ｔ２０    小径部
ｔ２１    開口部
Ｗ    電線
ＷＨ    ワイヤハーネス
【図１】
0006622034.tif 000002
【図２】
0006622034.tif 000003
【図３】
0006622034.tif 000004
【図４】
0006622034.tif 000005
【図５】
0006622034.tif 000006
【図６】
0006622034.tif 000007
【図７】
0006622034.tif 000008
【図８】
0006622034.tif 000009
【図９】
0006622034.tif 000010
【図１０】
0006622034.tif 000011
【図１１】
0006622034.tif 000012